(57)【特許請求の範囲】
【請求項１】
コネクタと相手側コネクタとの嵌合をロックする前記コネクタのロック構造において、
前記ロック構造は、唯一の操作部材と、一対のロックスプリングと、一対のカム機構とから構成され、
前記一対のロックスプリングは、前記相手側コネクタの被ロック部とそれぞれ係合するロック部を有し、
前記操作部材は、前記一対のカム機構を同時に操作し、
前記各カム機構は、それぞれがカム機能を営むテーパー部を有する金属製の一部材から構成され、前記各ロックスプリングを弾性変形させることにより、前記各ロック部を前記相手側コネクタの被ロック部との係合から解除し、
前記操作部材の操作方向と直交する方向に前記コネクタが離脱できるように構成されることを特徴とするコネクタのロック構造。
【請求項２】
コネクタと相手側コネクタとの嵌合をロックする前記コネクタのロック構造において、
前記ロック構造は、唯一の操作部材と、一対のロックスプリングと、一対のカム機構とから構成され、
前記一対のロックスプリングは、前記相手側コネクタの被ロック部とそれぞれ係合するロック部を有し、
前記操作部材は、前記一対のカム機構を同時に操作し、
前記各カム機構は、金属製のスライドプレートから構成され、前記操作部材はスライドスプリングにより常時付勢され、前記操作部材を前記スライドスプリングの抗力に反する方向へスライドさせることによって、前記各スライドプレートは、前記各ロックスプリングを弾性変形させることにより、前記各ロック部を前記相手側コネクタの被ロック部との係合から解除することを特徴とするコネクタのロック構造。
【請求項３】
コネクタと相手側コネクタとの嵌合をロックする前記コネクタのロック構造において、
前記ロック構造は、唯一の操作部材と、一対のロックスプリングと、一対のカム機構とから構成され、
前記一対のロックスプリングは、前記相手側コネクタの被ロック部とそれぞれ係合するロック部を有し、
前記操作部材は、前記一対のカム機構を同時に操作し、
前記各カム機構は、ローテーションプレートと前記ローテーションプレートを回転可能に支持するローテーションピンとから構成され、前記操作部材を操作することによって、前記各ローテーションプレートは、前記各ロックスプリングを弾性変形させることを特徴とするコネクタのロック構造。
【請求項４】
前記操作部材には、アーム部材が固定され、前記アーム部材は前記操作部材を操作する方向とは反対方向へ常時付勢するスプリングの機能を有することを特徴とする請求項１又は３記載のコネクタのロック構造。
【発明の詳細な説明】
【０００１】
【発明の属する技術分野】
本発明は、コネクタが相手側コネクタと嵌合した状態をロックする構造に関する。本発明は、その用途は広範であるが、一例として携帯電話に使用される。
【０００２】
【従来の技術】
従来のコネクタのロック構造について図１０を参照して説明する。このコネクタのロック構造は、特開２００１−２１７０３８号公報に記載されている。
【０００３】
コネクタのハウジング６１の前側には、角筒形状の嵌合部６２が固定されている。ハウジング６１の内部両側には、一対のロック部材６３が固定されている。
【０００４】
各ロック部材６３は、固定部６３Ａと、固定部６３Ａに略Ｕ字形状に連続する弾性変形可能部６３Ｂと、弾性変形可能部６３Ｂの先端から一側方へ傾斜して突出した被押圧部６３Ｃと、弾性変形可能部６３Ｂの先端から他側方へ直角に折曲された起立部６３Ｄと、起立部６３Ｄから突出したフック部６３Ｅとから一体に構成される。
【０００５】
また、ハウジング６１の両外側には、一対の押しボタン６４が設置されている。各押しボタン６４の内側には、押圧部６４Ａが突出して形成されている。
【０００６】
各押しボタン６４をハウジング６１の両外側から内側に向かって押圧すると、各押圧部６４Ａは各ロック部材６３の被押圧部６３Ｃを押圧する。すると、各ロック部材６３は固定部６３Ａを支点として弾性変形するので、フック部６３Ｅは図１０（ａ）において下降する。
【０００７】
したがって、嵌合部６２に嵌合していた相手側コネクタ（図示せず）の嵌合部のロックが解除されるので、相手側コネクタを本コネクタから離脱（抜去）することができる。
【０００８】
なお、一対の押しボタンの操作方向と一対のロック部材の動作方向とが直交するコネクタは、特開平１０−３０２８９３号公報にも記載されている。
【０００９】
【発明が解決しようとする課題】
前記従来のコネクタのロック構造では、コネクタと相手側コネクタとの嵌合を解除する押しボタンを２個必要とし、また、ロック部材の構造が複雑である。
【００１０】
そこで、本発明は、前記従来の技術の欠点を改良し、コネクタと相手側コネクタとの嵌合のロックの解除に必要な押しボタン等の操作部材が唯一で、しかも、構造が簡素なコネクタのロック構造を提供しようとするものである。
【００１１】
【課題を解決するための手段】
本発明は、前記課題を解決するため、次の手段を採用する。
【００１２】
１．コネクタと相手側コネクタとの嵌合をロックする前記コネクタのロック構造において、前記ロック構造は、唯一の操作部材と、一対のロックスプリングと、一対のカム機構とから構成され、前記一対のロックスプリングは、前記相手側コネクタの被ロック部とそれぞれ係合するロック部を有し、前記操作部材は、前記一対のカム機構を同時に操作し、前記各カム機構は、それぞれがカム機能を営むテーパー部を有する金属製の一部材から構成され、前記各ロックスプリングを弾性変形させることにより、前記各ロック部を前記相手側コネクタの被ロック部との係合から解除し、前記操作部材の操作方向と直交する方向に前記コネクタが離脱できるように構成されるコネクタのロック構造。
【００１３】
２．コネクタと相手側コネクタとの嵌合をロックする前記コネクタのロック構造において、前記ロック構造は、唯一の操作部材と、一対のロックスプリングと、一対のカム機構とから構成され、前記一対のロックスプリングは、前記相手側コネクタの被ロック部とそれぞれ係合するロック部を有し、前記操作部材は、前記一対のカム機構を同時に操作し、前記各カム機構は、金属製のスライドプレートから構成され、前記操作部材はスライドスプリングにより常時付勢され、前記操作部材を前記スライドスプリングの抗力に反する方向へスライドさせることによって、前記各スライドプレートは、前記各ロックスプリングを弾性変形させることにより、前記各ロック部を前記相手側コネクタの被ロック部との係合から解除するコネクタのロック構造。
【００１４】
３．コネクタと相手側コネクタとの嵌合をロックする前記コネクタのロック構造において、前記ロック構造は、唯一の操作部材と、一対のロックスプリングと、一対のカム機構とから構成され、前記一対のロックスプリングは、前記相手側コネクタの被ロック部とそれぞれ係合するロック部を有し、前記操作部材は、前記一対のカム機構を同時に操作し、前記各カム機構は、ローテーションプレートと前記ローテーションプレートを回転可能に支持するローテーションピンとから構成され、前記操作部材を操作することによって、前記各ローテーションプレートは、前記各ロックスプリングを弾性変形させるコネクタのロック構造。
【００１５】
４．前記操作部材には、アーム部材が固定され、前記アーム部材は前記操作部材を操作する方向とは反対方向へ常時付勢するスプリングの機能を有する前記１又は３記載のコネクタのロック構造。
【００１７】
【発明の実施の形態】
本発明の３つの実施の形態例のコネクタのロック構造について以下に説明する。
【００１８】
まず、第１実施の形態例のコネクタ１について図１〜図３を参照して説明する。図１（ａ）は正面図、図１（ｂ）は側面図、図１（ｃ）は図１（ａ）における線Ａ−Ａによる拡大断面図、図２（ａ）は図１（ｃ）における線Ｂ−Ｂによる断面図、図２（ｂ）は図２（ａ）においてボタンが押圧された状態の断面図、図３は図２（ｂ）における線Ｃ−Ｃによる断面図を、それぞれ示す。
【００１９】
コネクタ１のハウジング２は、合成樹脂製の下部ハウジング２Ａと、合成樹脂製の上部ハウジング２Ｂとから構成される。上部ハウジング２Ｂに形成された凸部２Ｂ１，２Ｂ２が下部ハウジング２Ａに形成された凹部２Ａ１，２Ａ２に挿入され、また、上部ハウジング２Ｂの２箇所に形成されたねじ孔２Ｂ３と下部ハウジング２Ａの２箇所に形成されたねじ孔２Ａ３とに、それぞれねじ３がねじ込まれることによって、ハウジング２は組み立てられる。
【００２０】
上部ハウジング２Ｂと下部ハウジング２Ａとにまたがって、空所部２Ｂ４，２Ａ４が形成される。
【００２１】
コネクタ１の合成樹脂製の嵌合部４は下部ハウジング２Ａと上部ハウジング２Ｂとに固定され、嵌合部４の一部は空所部２Ｂ４，２Ａ４内に配置される。嵌合部４には、複数のコンタクト５と、一対のロックスプリング６とが保持される。コネクタ１が相手側コネクタ（図示せず）と嵌合したとき、各コンタクト５は相手側コネクタの各コンタクトと接続し、また、各ロックスプリング６は相手側コネクタの被ロック部をロックする。各ロックスプリング６は、嵌合部４に固定される固定部６Ａと、固定部６Ａに連続する略Ｕ字形状部６Ｂと、略Ｕ字形状部６Ｂに連続する弾性変形可能部６Ｃと、弾性変形可能部６Ｃの中間に形成された被押圧部６Ｄと、弾性変形可能部６Ｃの先端に形成されたロック部６Ｅとから一体に構成される。
【００２２】
空所部２Ｂ４，２Ａ４内には、コネクタ１のボタン７の大半が収納される。ボタン７の一部（手指による押圧（ＰＵＳＨ）部７Ａ）は、下部ハウジング２Ａに形成された開口２Ａ５から外側に突出する。空所部２Ｂ４，２Ａ４内において、ボタン７には、金属製のロックボタンアーム８が固定されている。ロックボタンアーム８は、水平部８Ａと、水平部８Ａの両側に連続する一対のテーパー部（カムの機能を営む。）８Ｂとから構成される断面溝形状部を有する。また、ロックボタンアーム８は、図１（ｃ）に示されるように、その一端部８Ｃが上部ハウジング２Ｂに固定され、ボタン７を操作する方向とは反対方向へ常時付勢するスプリングの機能を有する。
【００２３】
図２（ａ）の状態において、ボタン７の押圧部７Ａを図２（ｂ）の矢印方向に手指で押すと、ボタン７は破線の位置から実線の位置まで変位量Ｄ１  だけ移動する。このとき、ボタン７に固定されたロックボタンアーム８の各テーパー部８Ｂは、各ロックスプリング６の被押圧部６Ｄを破線の位置から実線の位置まで変位量Ｄ２  だけ移動させる。したがって、各ロックスプリング６の弾性変形可能部６Ｃは、図３において、実線の位置から破線の位置まで弾性変形する。この結果、各ロックスプリング６のロック部６Ｅは、実線の位置から破線の位置まで移動するので、相手側コネクタの嵌合部のロックを解除する。よって、相手側コネクタをコネクタ１から離脱（抜去）させることができる。
【００２４】
次に、第２実施の形態例のコネクタ２１について図４〜図６を参照して説明する。第２実施の形態例については、第１実施の形態例と同様な点の説明を省略し、相違する点のみの説明を行うこととする。図４（ａ）は正面図、図４（ｂ）は図４（ａ）における線Ａ−Ａによる拡大断面図、図４（ｃ）は図４（ｂ）における線Ｂ−Ｂによる断面図、図５は図４（ｃ）における線Ｃ−Ｃによる断面図、図６（ａ）は図５のＤ部のロック状態（通常時）の詳細図、図６（ｂ）は図５のＤ部のロック解除状態（抜去時）の詳細図を、それぞれ示す。
【００２５】
コネクタ２１の嵌合部２４には、一対のロックスプリング２６が保持される。各ロックスプリング２６は、嵌合部２４に固定される固定部２６Ａと、固定部２６Ａに連続する弾性変形可能な略Ｕ字形状部２６Ｂと、略Ｕ字形状部２６Ｂに連続する湾曲した被押圧部２６Ｃと、被押圧部２６Ｃに連続する延長部２６Ｄと、延長部２６Ｄの先端に形成されたロック部２６Ｅとから一体に構成される。
【００２６】
ボタン（ＰＵＬＬ部）２７の内側には、各ロックスプリング２６の被押圧部２６Ｃに対向して金属製の一対の湾曲したスライドプレート（カムの機能を営む。）２８が固定されている。ボタン２７と下部ハウジング２２Ａとの間には、折曲された板状のスライドスプリング２９が装着されている。スライドスプリング２９は、ボタン２７を嵌合部２４の方向へ付勢する。
【００２７】
図５の状態において、ボタン２７を手指で実線の位置から破線の位置まで変位量Ｄ３  だけスライドさせると、各ロックスプリング２６は実線の位置から破線の位置まで弾性変形する。この過程を図６を参照して説明すると、図６（ａ）の状態において、ボタン２７を右方向にスライドさせると、スライドプレート２８はロックスプリング２６の被押圧部２６Ｃを押圧し、図６（ｂ）に示されるように、ロックスプリング２６を弾性変形させる。この結果、各ロックスプリング２６のロック部２６Ｅは、嵌合部２４内に没入するので、相手側コネクタの嵌合部のロックを解除する。よって、相手側コネクタをコネクタ２１から離脱（抜去）させることができる。ボタン２７から手指を離すと、ボタン２７はスライドスプリング２９の復元力により図６（ｂ）の実線位置から図６（ａ）の位置まで復帰する。
【００２８】
続いて、第３実施の形態例のコネクタ４１について図７〜図９を参照して説明する。第３実施の形態例については第１実施の形態例と同様な点の説明を省略し、相違する点のみの説明を行うこととする。図７（ａ）は正面図、図７（ｂ）は側面図、図７（ｃ）は図７（ａ）における線Ａ−Ａによる拡大断面図、図８（ａ）は図７（ｃ）における線Ｂ−Ｂによる断面図、図８（ｂ）は図８（ａ）においてボタンが押圧された状態の断面図、図９は図８（ｂ）における線Ｃ−Ｃによる断面図を、それぞれ示す。
【００２９】
コネクタ４１の嵌合部４４には、一対のロックスプリング４６が保持されている。各ロックスプリング４６は、嵌合部４４に固定される固定部４６Ａと、固定部４６Ａに連続する弾性変形可能な略Ｕ字形状部４６Ｂと、略Ｕ字形状部４６Ｂに連続する湾曲部４６Ｃと、湾曲部４６Ｃに連続する延長部４６Ｄと、延長部４６Ｄの先端に形成されたロック部４６Ｅとから一体に構成される。
【００３０】
下部ハウジング４２Ａの空所部４２Ａ４と上部ハウジング４２Ｂの空所部４２Ｂ４内において、ボタン４７には、金属製のロックボタンアーム４８が固定されている。ロックボタンアーム４８は、図７（ｃ）に示されるように、その一端部４８Ｃが下部ハウジング４２Ａに固定され、ボタン４７を操作する方向とは反対方向へ常時付勢するスプリングの機能を有する。ロックボタンアーム４８の両側には、一対のローテーションプレート４９が当接し、各ローテーションプレート４９は下部ハウジング４２Ａに固定されたローテーションピン５０に回転可能に支持されている。
【００３１】
図８（ａ）の状態において、ボタン４７の押圧部４７Ａを図８（ｂ）の矢印方向に手指で押すと、ボタン４７は破線の位置から実線の位置まで変位量Ｄ４  だけ移動する。このとき、ボタン４７に固定されたロックボタンアーム４８は、左側のローテーションプレート４９をローテーションピン５０を中心として破線の位置から実線の位置まで左回転させ、右側のローテーションプレート４９をローテーションピン５０を中心として実線の位置まで右回転させる。ボタン４７とロックボタンアーム４８は、図７（ｃ）に示されるように、実線の位置から破線の位置まで移動する。したがって、各ロックスプリング４６の略Ｕ字形状部４６Ｂは、図８（ｂ）において、各ローテーションプレート４９の切り欠き部４９Ａ（カムの機能を営む。）により破線の位置から実線の位置まで変位量Ｄ５  だけ移動する。この過程を図９を参照して説明する。各ローテーションプレート４９が回転すると、各ロックスプリング４６は実線の位置から破線の位置まで移動する。各ロックスプリング４６の延長部４６Ｄの中間が下部ハウジング４２Ａに形成された一対の突出部４２Ａ５に当接しているため、各延長部４６Ｄは各突出部４２Ａ５を支点として僅かな角度だけ回転する。したがって各ロックスプリング４６のロック部４６Ｅは、嵌合部４４内に没入する。
【００３２】
なお、相手側コネクタの被ロック部は、相手側コネクタの嵌合部に一体形成するか、又は、別体で設けてもよい。
【００３３】
【発明の効果】
以上の説明から明らかなように、本発明によれば次の効果が奏される。
【００３４】
１．コネクタと相手側コネクタとの嵌合のロックを、唯一の操作部材（押しボタン等）により解除することができるので、操作性が簡単で容易である。
【００３５】
２．ロック構造が、唯一の操作部材と、一対のロックスプリングと、一対のカム機構とから構成されるので、構造が簡素で、部品点数が少なく、コストが安価である。
【００３６】
３．カム機構に金属材料を採用することにより、耐久性を向上することができる。
【図面の簡単な説明】
【図１】本発明の第１実施の形態例のコネクタのロック構造の諸図であり、（ａ）は正面図、（ｂ）は側面図、（ｃ）は（ａ）における線Ａ−Ａによる拡大断面図を、それぞれ示す。
【図２】同コネクタの断面図であり、（ａ）は図１（ｃ）における線Ｂ−Ｂによる断面図、（ｂ）は図２（ａ）においてボタンが押圧された状態の断面図を、それぞれ示す。
【図３】図２（ｂ）における線Ｃ−Ｃによる断面図である。
【図４】本発明の第２実施の形態例のコネクタのロック構造の諸図であり、（ａ）は正面図、（ｂ）は（ａ）における線Ａ−Ａによる拡大断面図、（ｃ）は（ｂ）における線Ｂ−Ｂによる断面図を、それぞれ示す。
【図５】図４（ｃ）における線Ｃ−Ｃによる断面図である。
【図６】図５のＤ部の詳細図であり、（ａ）はロック状態（通常時）、（ｂ）はロック解除状態（抜去時）を、それぞれ示す。
【図７】本発明の第３実施の形態例のコネクタのロック構造の諸図であり、（ａ）は正面図、（ｂ）は側面図、（ｃ）は（ａ）における線Ａ−Ａによる拡大断面図を、それぞれ示す。
【図８】同コネクタの断面図であり、（ａ）は図７（ｃ）における線Ｂ−Ｂによる断面図、（ｂ）は図８（ａ）においてボタンが押圧された状態の断面図を、それぞれ示す。
【図９】図８（ｂ）における線Ｃ−Ｃによる断面図である。
【図１０】従来のコネクタのロック構造の斜視図であり、（ａ）は全体図、（ｂ）はロック部材を、それぞれ示す。
【符号の説明】
１    コネクタ
２    ハウジング
２Ａ    下部ハウジング
２Ａ１    凹部
２Ａ２    凹部
２Ａ３    ねじ孔
２Ａ４    空所部
２Ｂ    上部ハウジング
２Ｂ１    凸部
２Ｂ２    凸部
２Ｂ３    ねじ孔
２Ｂ４    空所部
３    ねじ
４    嵌合部
５    コンタクト
６    ロックスプリング
６Ａ    固定部
６Ｂ    略Ｕ字形状部
６Ｃ    弾性変形可能部
６Ｄ    被押圧部
６Ｅ    ロック部
７    ボタン
７Ａ    押圧部
８    ロックボタンアーム
８Ａ    水平部
８Ｂ    テーパー部
８Ｃ    一端部
２１    コネクタ
２２Ａ    下部ハウジング
２４    嵌合部
２６    ロックスプリング
２６Ａ    固定部
２６Ｂ    略Ｕ字形状部
２６Ｃ    被押圧部
２６Ｄ    延長部
２６Ｅ    ロック部
２７    ボタン
２８    スライドプレート
２９    スライドスプリング
４１    コネクタ
４２Ａ    下部ハウジング
４２Ａ４    空所部
４２Ａ５    突出部
４２Ｂ    上部ハウジング
４２Ｂ４    空所部
４４    嵌合部
４６    ロックスプリング
４６Ａ    固定部
４６Ｂ    略Ｕ字形状部
４６Ｃ    湾曲部
４６Ｄ    延長部
４６Ｅ    ロック部
４７    ボタン
４７Ａ    押圧部
４８    ロックボタンアーム
４８Ｃ    一端部
４９    ローテーションプレート
４９Ａ    切り欠き部
５０    ローテーションピン
【図１】
0003635408.tif 000002
【図２】
0003635408.tif 000003
【図３】
0003635408.tif 000004
【図４】
0003635408.tif 000005
【図５】
0003635408.tif 000006
【図６】
0003635408.tif 000007
【図７】
0003635408.tif 000008
【図８】
0003635408.tif 000009
【図９】
0003635408.tif 000010
【図１０】
0003635408.tif 000011